(57)【要約】      （修正有）【課題】装置のサイズが増大することを抑制することが可能で、かつ、表示画面部に不要ながたつきが発生することを抑制することが可能な表示画面旋回装置を提供する。【解決手段】この表示画面旋回装置２０は、板状に形成された支持軸８３が挿入される扇形状の穴部８１ｄを含むとともに、板状の支持軸８３の上端面部８３ｂを回動中心として回動可能な表示画面部側支持部材８１と、板状の支持軸８３が挿入される扇形状の穴部８２ｄを含むとともに、台座部３０側に設けられる台座部側支持部材８２とを備えている。そして、ディスプレイ本体１０が表示画面部側支持部材８１とともに水平面に対して垂直に配置された際に、扇形状の穴部８１ｄに挿入された板状の支持軸８３の側面８３ａが、垂直方向に対して所定の角度（約３０度）傾斜し、かつ、台座部側支持部材８２の扇形状の穴部８２ｄの一方縁８２ｅと当接するように構成されている。【選択図】図１０
2008191603.tif 000002
【特許請求の範囲】
【請求項１】
表示画面部側に設けられる表示画面部側支持部材と、台座部側に設けられる台座部側支持部材とを備えた表示画面旋回装置において、
板状に形成された板金製の支持軸をさらに備え、
前記表示画面部側支持部材は、前記板状の支持軸が挿入される扇形状の第１穴部を含むとともに、前記支持軸の端部を回動中心として回動可能であり、
前記台座部側支持部材は、前記板状の支持軸が挿入される扇形状の第２穴部を含み、
前記扇形状の第１穴部の円心側の第１根元部は、前記第１穴部の上側に配置されるとともに、前記扇形状の第２穴部の円心側の第２根元部は、前記第２穴部の下側に配置され、
前記板状の支持軸は、前記表示画面部が前記表示画面部側支持部材とともに水平面に対して垂直に配置された際に、前記表示画面部側支持部材の前記扇形状の第１穴部の円心側の前記第１根元部と、前記台座部側支持部材の前記扇形状の第２穴部の円心側の前記第２根元部とを結ぶ線分が、垂直方向に対して所定の角度傾斜することにより、前記扇形状の第１穴部に挿入された前記板状の支持軸が垂直方向に対して前記所定の角度傾斜するとともに、前記表示画面部の自重による垂直荷重のうち、前記板状の支持軸の側面と直交方向の分力によって、前記板状の支持軸の側面が、前記台座部側支持部材の前記扇形状の第２穴部の一方の内側縁部と当接するように押圧されるように構成され、
前記扇形状の第１穴部の半径方向の長さおよび前記扇形状の第２穴部の半径方向の長さは、前記板状の支持軸の前記半径方向の幅よりも大きくなるようにそれぞれ形成され、
前記板状の支持軸の厚みと、前記扇形状の第１穴部の前記第１根元部および前記扇形状の第２穴部の前記第２根元部の前記支持軸の厚み方向の幅とは、実質的に等しくなるように構成されている、表示画面旋回装置。
【請求項２】
板状に形成された支持軸と、
前記板状の支持軸が挿入される扇形状の第１穴部を含むとともに、表示画面部側に設けられ、前記板状の支持軸の端部を回動中心として回動可能な表示画面部側支持部材と、
前記板状の支持軸が挿入される扇形状の第２穴部を含むとともに、台座部側に設けられる台座部側支持部材とを備え、
前記扇形状の第１穴部の円心側の第１根元部は、前記第１穴部の上側に配置され、
前記扇形状の第２穴部の円心側の第２根元部は、前記第２穴部の下側に配置され、
前記表示画面部が前記表示画面部側支持部材とともに水平面に対して垂直に配置された際に、前記扇形状の第１穴部に挿入された前記板状の支持軸の側面が、垂直方向に対して所定の角度傾斜し、かつ、前記台座部側支持部材の前記扇形状の第２穴部の一方の内側縁部と当接するように構成されている、表示画面旋回装置。
【請求項３】
前記板状の支持軸は、前記表示画面部が垂直に配置された状態で垂直方向から前記所定の角度傾斜することにより、前記表示画面部の自重による垂直荷重のうち、前記板状の支持軸の側面と直交方向の分力によって、前記板状の支持軸の側面が前記台座部側支持部材の前記扇形状の第２穴部の前記内側縁部と当接するように押圧されるように構成されている、請求項２に記載の表示画面旋回装置。
【請求項４】
前記表示画面部が前記表示画面部側支持部材とともに水平面に対して垂直に配置された際に、前記表示画面部側支持部材の前記扇形状の第１穴部の円心側の前記第１根元部と、前記台座部側支持部材の前記扇形状の第２穴部の円心側の前記第２根元部とを結ぶ線分が、垂直方向に対して前記所定の角度傾斜するように構成されている、請求項２または３に記載の表示画面旋回装置。
【請求項５】
前記扇形状の第１穴部の半径方向の長さおよび前記扇形状の第２穴部の半径方向の長さは、前記板状の支持軸の前記半径方向の幅よりも大きくなるようにそれぞれ形成されている、請求項２〜４のいずれか１項に記載の表示画面旋回装置。
【請求項６】
前記板状の支持軸の厚みと、前記扇形状の第１穴部の前記第１根元部および前記扇形状の第２穴部の前記第２根元部の前記支持軸の厚み方向の幅とは、実質的に等しくなるように構成されている、請求項２〜５のいずれか１項に記載の表示画面旋回装置。
【発明の詳細な説明】
【技術分野】
【０００１】
この発明は、表示画面旋回装置に関し、特に、表示画面部側に設けられる表示画面部側支持部材と、台座部側に設けられる台座部側支持部材とを備えた表示画面旋回装置に関する。
【背景技術】
【０００２】
従来、表示画面部を垂直方向または水平方向に所定角度旋回させるための表示画面旋回装置などが知られている（たとえば、特許文献１〜５参照）。
【０００３】
上記特許文献１には、主座（台座）上に固定され、主座から垂直方向に配置された面に８字形の制限孔が形成された固定座と、枢軸主体（丸軸部）の一方側面から軸方向に延びるとともに、外周面の一部が互いに平行な平面部により形成された貫通軸と、枢軸主体（丸軸部）の他方側面にはモニタを固定するための固定プレートとが設けられた枢軸（シャフト）と、含油ワッシャと、弾性プレートと、ナットとを備えたモニタ用位置決め装置（表示画面旋回装置）が開示されている。この特許文献１に記載のモニタ用位置決め装置（表示画面旋回装置）では、枢軸の貫通軸が、固定座の８字形の制限孔に挿入されるとともに、含油ワッシャと弾性プレートとを介してナットにより締め付けられることによって、８字形の制限孔内部で回動可能に支持されている。そして、このモニタ用位置決め装置では、モニタは、主座に対して垂直に配置された状態から、前側および後ろ側に所定角度回動された場合に、枢軸の貫通軸の平面部が、８字形の制限孔の内側面に当接することにより、モニタの回動範囲が規制されるように構成されている。
【０００４】
また、上記特許文献２には、ビデオカメラの回動中心点と一致する中心点からなる円弧状のスリットが形成され、ベース部（台座）の両側面に設けられた一対の側板と、一対の側板に挟まれるように配置されるとともに、心棒（シャフト）が側板の円弧状のスリット内部を移動可能に嵌め合わされる垂直移動部とを備えたビデオカメラ用雲台が開示されている。この特許文献２に記載のビデオカメラ用雲台では、歯車の回転駆動により、垂直移動部の心棒が側板のスリット形状に沿って円弧状に移動することにより、垂直移動部に載置されたビデオカメラが垂直方向に揺動するように構成されている。そして、このビデオカメラ用雲台では、ビデオカメラが水平に載置された状態から、上側および下側に所定角度回動された場合に、心棒がスリットの終端部に当接することにより、垂直移動部の揺動範囲が規制されるように構成されている。
【０００５】
また、上記特許文献３には、水平面から垂直方向に配置されたスタンド部に固定され、回転中心穴と回転中心穴に同心状に形成された円弧状の長穴とが設けられた固定用ブラケットと、液晶モニタの背面側に固定され、固定用ブラケットと対向する位置にシャフトおよびサブシャフトが設けられた回転側ブラケットと、複数のバネ座金と、ナットとを備えたＯＡ機器用チルト構造（表示画面旋回装置）が開示されている。この特許文献３に記載のＯＡ機器用チルト構造（表示画面旋回装置）では、シャフトおよびサブシャフトが、固定用ブラケットの回転中心穴および円弧状の長穴にそれぞれ挿入されるとともに、複数のバネ座金を介してナットにより締め付けられることによって、回転側ブラケットのサブシャフトが長穴内部で移動可能に支持されている。そして、このＯＡ機器用チルト構造では、モニタが垂直に配置された状態から、上側に所定角度回動された場合に、回転側ブラケットのサブシャフトが円弧状の長穴の終端部に到達することにより、モニタの回動範囲が規制されるように構成されている。
【０００６】
また、上記特許文献４には、水平面から垂直方向に配置されたポール（支柱）にスターラップ（クランプ部材）により水平方向に支持された中空軸状のアームと、アームの先端に固定されるとともに半球状の内面が形成されたケージ（保持部材）と、平面型液晶画面の背面側に固定されるとともに表面が半球状に形成されたボールと、タイロッド（連結棒）と、調節ナットとを備えた平面型液晶表示装置用の支持装置（表示画面旋回装置）が開示されている。この特許文献４に記載の平面型液晶表示装置用の支持装置（表示画面旋回装置）では、ボールの半球状の表面がケージの内面に摺動可能に嵌め合わされるとともに、アームの内部からケージおよびボールを貫通するタイロッドが調節ナットにより互いに締め付けられることによって、ボールがケージ内部で回動可能に支持されている。そして、この平面型液晶表示装置用の支持装置では、平面型液晶画面が垂直に配置された状態から、上下左右方向に所定角度旋回された場合に、ケージの環状端がボールの半球状の表面の端部に当接することにより、平面型液晶画面の旋回範囲が規制されるように構成されている。
【０００７】
また、上記特許文献５には、台座に固定された支持部材と、液晶パネルに固定され、垂直方向に配置されたアームとを備えた液晶表示装置が開示されている。この特許文献５に記載の液晶表示装置では、アームの下端が支持部材に回動可能に取り付けられることによって、液晶パネルが垂直に配置された状態から上側および下側に所定角度回動されるように構成されている。
【０００８】
【特許文献１】実用新案登録第３０７９００７号公報
【特許文献２】実用新案登録第３０９２３９１号公報
【特許文献３】特開２００１−１４６８７４号公報
【特許文献４】特表２００４−５２２９１８号公報
【特許文献５】特開２００６−６４７８６号公報
【発明の開示】
【発明が解決しようとする課題】
【０００９】
しかしながら、上記特許文献１に記載のモニタ用位置決め装置では、モニタが前側および後ろ側に所定角度回動された場合に、枢軸の貫通軸の平面部が８字形の制限孔の内側面に当接することによりモニタの回動動作が規制される一方、モニタが主座に対して垂直に配置された状態では、貫通軸の回動動作が規制されない。このため、貫通軸の固定座に対する締付力（ナットの締付トルク）が充分でない場合や、モニタの自重によって、モニタ（表示画面部）に不要ながたつきが発生してしまうという問題点がある。また、上記特許文献１に記載のモニタ用位置決め装置では、枢軸の貫通軸がモニタとともに回動するように構成されている。したがって、このモニタ用位置決め装置に、電動モータおよび複数のギア列（歯車列）による駆動力を利用した旋回手段を適用した場合、複数のギア列の遊び（バックラッシ）に起因したモニタ回動時のがたつき量を低減する対策として、ギア列の最終ギアに噛合する枢軸の回動半径をより大きく確保することによって、ギア列の遊び（歯車間の不要な回転）が枢軸側の回転角度により少なく影響するような設計を行う必要があると考えられる。しかしながら、単に枢軸の回動半径を大きくすることは、モニタ用位置決め装置（表示画面旋回装置）のサイズ（たとえば高さなど）を増大させる場合が生じるという問題点がある。
【００１０】
また、上記特許文献２に記載のビデオカメラ用雲台では、ビデオカメラが水平位置から前側および後ろ側に所定角度回動された場合に、垂直移動部の心棒が、側板のスリットの終端部に当接することによりビデオカメラの回動が規制される一方、ビデオカメラが実質的に水平位置に静止された状態では、垂直移動部の心棒の回動が規制されない。このため、歯車の遊び（バックラッシ）や、ビデオカメラの自重によって、垂直移動部とともにビデオカメラに不要ながたつきが発生してしまうという問題点がある。
【００１１】
また、上記特許文献３に記載のＯＡ機器用チルト構造では、液晶モニタが前側および後ろ側に所定角度回動された場合に、回転側ブラケットのサブシャフトが長穴の内側面に当接することにより液晶モニタの回動が規制される一方、液晶モニタが垂直に配置された状態ではサブシャフトの回動が規制されない。このため、サブシャフトの固定用ブラケットに対する締付トルクが充分でない場合や、液晶モニタの自重によって、液晶モニタ（表示画面部）に不要ながたつきが発生してしまうという問題点がある。また、上記特許文献３に記載のＯＡ機器用チルト構造では、回転側ブラケットのシャフトが液晶モニタとともに回動するように構成されている。したがって、このＯＡ機器用チルト構造に、駆動源および複数のギア列（歯車列）による駆動力を利用した旋回手段を適用した場合、複数のギア列の遊び（バックラッシ）に起因した液晶モニタ回動時のがたつき量を低減する対策として、ギア列の最終ギアに噛合するシャフトの回転半径をより大きく確保することによって、ギア側の遊び（歯車間の不要な回転）がシャフト側の回転角度により少なく影響するような設計を行う必要があると考えられる。しかしながら、単にシャフトの回転半径を大きくすることは、ＯＡ機器用チルト構造（表示画面旋回装置）のサイズ（たとえば高さなど）を増大させる場合が生じるという問題点がある。
【００１２】
また、上記特許文献４に記載の平面型液晶表示装置用の支持装置では、平面型液晶画面が上下左右に所定角度回動された場合に、ケージの環状端がボールの端部に当接することにより、平面型液晶画面の回動が規制される一方、平面型液晶画面が垂直に立てられた状態ではボールの回動が規制されない。このため、調節ナットのタイロッドに対する締付トルクが充分でない場合や、平面型液晶画面の自重によって、平面型液晶画面に不要ながたつきが発生してしまうという問題点がある。
【００１３】
また、上記特許文献５に記載の液晶表示装置では、液晶パネルが前後方向に所定角度回動される場合の、アームの支持部材に対する回動機構については開示も示唆もされていない。したがって、アームを支持部材に回動可能に支持するための支持機構において、支持方法が充分でない場合や、液晶パネルの自重によって、液晶パネル（表示画面部）に不要ながたつきが発生してしまう場合があるという問題点がある。
【００１４】
この発明は、上記のような課題を解決するためになされたものであり、この発明の１つの目的は、装置のサイズが増大することを抑制することが可能で、かつ、表示画面部に不要ながたつきが発生することを抑制することが可能な表示画面旋回装置を提供することである。
【課題を解決するための手段および発明の効果】
【００１５】
この発明の第１の局面による表示画面旋回装置は、表示画面部側に設けられる表示画面部側支持部材と、台座部側に設けられる台座部側支持部材とを備えた表示画面旋回装置において、板状に形成された板金製の支持軸をさらに備え、表示画面部側支持部材は、板状の支持軸が挿入される扇形状の第１穴部を含むとともに、支持軸の端部を回動中心として回動可能であり、台座部側支持部材は、板状の支持軸が挿入される扇形状の第２穴部を含み、扇形状の第１穴部の円心側の第１根元部は、第１穴部の上側に配置されるとともに、扇形状の第２穴部の円心側の第２根元部は、第２穴部の下側に配置され、板状の支持軸は、表示画面部が表示画面部側支持部材とともに水平面に対して垂直に配置された際に、表示画面部側支持部材の扇形状の第１穴部の円心側の第１根元部と、台座部側支持部材の扇形状の第２穴部の円心側の第２根元部とを結ぶ線分が、垂直方向に対して所定の角度傾斜することにより、扇形状の第１穴部に挿入された板状の支持軸が垂直方向に対して所定の角度傾斜するとともに、表示画面部の自重による垂直荷重のうち、板状の支持軸の側面と直交方向の分力によって、板状の支持軸の側面が、台座部側支持部材の扇形状の第２穴部の一方の内側縁部と当接するように押圧されるように構成され、扇形状の第１穴部の半径方向の長さおよび扇形状の第２穴部の半径方向の長さは、板状の支持軸の半径方向の幅よりも大きくなるようにそれぞれ形成され、板状の支持軸の厚みと、扇形状の第１穴部の第１根元部および扇形状の第２穴部の第２根元部の支持軸の厚み方向の幅とは、実質的に等しくなるように構成されている。
【００１６】
この第１の局面による表示画面旋回装置では、上記のように、板状の支持軸が挿入される扇形状の第１穴部を含むとともに、板状の支持軸の端部を回動中心として回動可能な表示画面部側支持部材と、板状の支持軸が挿入される扇形状の第２穴部を含むとともに、台座部側支持部材とを備え、扇形状の第１穴部の円心側の第１根元部を、第１穴部の上側に配置するとともに、扇形状の第２穴部の円心側の第２根元部を、第２穴部の下側に配置し、かつ、表示画面部が表示画面部側支持部材とともに水平面に対して垂直に配置された際に、扇形状の第１穴部に挿入された板状の支持軸の側面が、台座部側支持部材の扇形状の第２穴部の一方の内側縁部と当接するように構成することによって、表示画面部を垂直に配置された状態から回動させる際に、支持軸は、台座側支持部材の第２穴部に当接して第２穴部に対しては移動しない状態になるとともに、表示画面部側支持部材は、支持軸に対して表示画面部側支持部材の第１穴部の上側の第１根元部を回動中心として回動される。これにより、表示画面部側支持部材が、台座側支持部材の第２穴部の下側の第２根元部を回動中心として回動される場合に比べて、下方に配置されたギア列（駆動源）から表示画面部側支持部材の回動中心までの距離をより大きくすることができるので、その分、ギア列の遊び（遊びに起因したがたつき）が表示画面部側支持部材の回動角度に与える影響をより小さくすることができる。したがって、ギア列の遊びの影響を抑制するために、支持軸および表示画面部側支持部材のサイズを変更することにより回動半径を大きくすることなく、表示画面部側支持部材の回動半径を大きくすることができるので、装置のサイズが増大することを抑制することができる。また、表示画面部が表示画面部側支持部材とともに水平面に対して垂直に配置された際に、扇形状の第１穴部に挿入された板状の支持軸の側面が、垂直方向に対して所定の角度傾斜し、かつ、台座部側支持部材の扇形状の第２穴部の一方の内側縁部と当接するように構成することによって、表示画面部の自重の分力により、板状の支持軸の側面が台座部側支持部材に設けられた第２穴部の内側縁部に当接させることができるために、表示画面部は垂直に配置された状態を支持軸により保持されるとともに、表示画面部の安易な回動が抑制される。したがって、表示画面部に不要ながたつきが発生することを抑制することができる。
【００１７】
また、第１の局面による表示画面旋回装置では、板状の支持軸を、表示画面部が垂直に配置された状態で垂直方向から所定の角度傾斜させることにより、表示画面部の自重による垂直荷重のうち、板状の支持軸の側面と直交方向の分力によって、板状の支持軸の側面が台座部側支持部材の扇形状の第２穴部の内側縁部と当接するように押圧されるように構成することによって、表示画面部の自重による垂直荷重が板状の支持軸に加わる際に、垂直荷重の分力を利用しているので、支持軸を容易に台座部側支持部材の第２穴部の内側縁部に当接させることができる。したがって、表示画面部が垂直に配置された状態では、支持軸の回動動作を確実に規制することができる。また、表示画面部が表示画面部側支持部材とともに水平面に対して垂直に配置された際に、表示画面部側支持部材の扇形状の第１穴部の円心側の第１根元部と、台座部側支持部材の扇形状の第２穴部の円心側の第２根元部とを結ぶ線分を、垂直方向に対して所定の角度傾斜するように構成することによって、表示画面部が垂直に配置された状態では、表示画面部側支持部材の第１穴部の第１根元部と、台座部側支持部材の第２穴部の第２根元部とによって、支持軸を所定角度傾斜させた状態に保持することができる。
【００１８】
また、第１の局面による表示画面旋回装置では、扇形状の第１穴部の半径方向の長さおよび扇形状の第２穴部の半径方向の長さを、板状の支持軸の半径方向の幅よりも大きくなるようにそれぞれ形成するように構成することによって、表示画面部側支持部材を回動させる際に、支持軸の下端部が第１穴部の弧状部分に接触することを抑制することができるとともに、支持軸の上端部が第２穴部の弧状部分に接触することを抑制することができる。したがって、表示画面部が回動される際に、構成要素が互いにがたつかないので、表示画面部の回動動作を安定して行うことができる。また、板状の支持軸の厚みと、扇形状の第１穴部の第１根元部および扇形状の第２穴部の第２根元部の支持軸の厚み方向の幅とを、実質的に等しくなるように構成することによって、表示画面部側支持部材を回動させる際に、表示画面部側支持部材および台座部側支持部材に挿入された支持軸が、支持軸の上端部を回動中心とする表示画面部側支持部材の第１穴部の根元部、および、支持軸の下端部を回動中心とする台座部側支持部材の第２穴部の根元部からずれることを抑制することができる。したがって、表示画面部を滑らかに回動させることができる。
【００１９】
この発明の第２の局面による表示画面旋回装置は、板状に形成された支持軸と、板状の支持軸が挿入される扇形状の第１穴部を含むとともに、表示画面部側に設けられ、板状の支持軸の端部を回動中心として回動可能な表示画面部側支持部材と、板状の支持軸が挿入される扇形状の第２穴部を含むとともに、台座部側に設けられる台座部側支持部材とを備え、扇形状の第１穴部の円心側の第１根元部は、第１穴部の上側に配置され、扇形状の第２穴部の円心側の第２根元部は、第２穴部の下側に配置され、表示画面部が表示画面部側支持部材とともに水平面に対して垂直に配置された際に、扇形状の第１穴部に挿入された板状の支持軸の側面が、垂直方向に対して所定の角度傾斜し、かつ、台座部側支持部材の扇形状の第２穴部の一方の内側縁部と当接するように構成されている。
【００２０】
この第２の局面による表示画面旋回装置では、上記のように、板状の支持軸が挿入される扇形状の第１穴部を含むとともに、板状の支持軸の端部を回動中心として回動可能な表示画面部側支持部材と、板状の支持軸が挿入される扇形状の第２穴部を含むとともに、台座部側支持部材とを備え、扇形状の第１穴部の円心側の第１根元部を、第１穴部の上側に配置するとともに、扇形状の第２穴部の円心側の第２根元部を、第２穴部の下側に配置し、かつ、表示画面部が表示画面部側支持部材とともに水平面に対して垂直に配置された際に、扇形状の第１穴部に挿入された板状の支持軸の側面が、台座部側支持部材の扇形状の第２穴部の一方の内側縁部と当接するように構成することによって、表示画面部を垂直に配置された状態から回動させる際に、支持軸は、台座側支持部材の第２穴部に当接して第２穴部に対しては移動しない状態になるとともに、表示画面部側支持部材は、支持軸に対して表示画面部側支持部材の第１穴部の上側の第１根元部を回動中心として回動される。これにより、表示画面部側支持部材が、台座側支持部材の第２穴部の下側の第２根元部を回動中心として回動される場合に比べて、下方に配置されたギア列（駆動源）から表示画面部側支持部材の回動中心までの距離をより大きくすることができるので、その分、ギア列の遊び（遊びに起因したがたつき）が表示画面部側支持部材の回動角度に与える影響をより小さくすることができる。したがって、ギア列の遊びの影響を抑制するために、支持軸および表示画面部側支持部材のサイズを変更することにより回動半径を大きくすることなく、表示画面部側支持部材の回動半径を大きくすることができるので、装置のサイズが増大することを抑制することができる。また、表示画面部が表示画面部側支持部材とともに水平面に対して垂直に配置された際に、扇形状の第１穴部に挿入された板状の支持軸の側面が、垂直方向に対して所定の角度傾斜し、かつ、台座部側支持部材の扇形状の第２穴部の一方の内側縁部と当接するように構成することによって、表示画面部の自重の分力により、板状の支持軸の側面が台座部側支持部材に設けられた第２穴部の内側縁部に当接させることができるために、表示画面部は垂直に配置された状態を支持軸により保持されるとともに、表示画面部の安易な回動が抑制される。したがって、表示画面部に不要ながたつきが発生することを抑制することができる。
【００２１】
上記第２の局面による表示画面旋回装置において、好ましくは、板状の支持軸は、表示画面部が垂直に配置された状態で垂直方向から所定の角度傾斜することにより、表示画面部の自重による垂直荷重のうち、板状の支持軸の側面と直交方向の分力によって、板状の支持軸の側面が台座部側支持部材の扇形状の第２穴部の内側縁部と当接するように押圧されるように構成されている。このように構成すれば、表示画面部の自重による垂直荷重が板状の支持軸に加わる際に、垂直荷重の分力を利用しているので、支持軸を容易に台座部側支持部材の第２穴部の内側縁部に当接させることができる。したがって、表示画面部が垂直に配置された状態では、支持軸の回動動作を確実に規制することができる。
【００２２】
上記第２の局面による表示画面旋回装置において、好ましくは、表示画面部が表示画面部側支持部材とともに水平面に対して垂直に配置された際に、表示画面部側支持部材の扇形状の第１穴部の円心側の第１根元部と、台座部側支持部材の扇形状の第２穴部の円心側の第２根元部とを結ぶ線分が、垂直方向に対して所定の角度傾斜するように構成されている。このように構成すれば、表示画面部が垂直に配置された状態では、表示画面部側支持部材の第１穴部の第１根元部と、台座部側支持部材の第２穴部の第２根元部とによって、支持軸を所定角度傾斜させた状態に保持することができる。
【００２３】
上記第２の局面による表示画面旋回装置において、好ましくは、扇形状の第１穴部の半径方向の長さおよび扇形状の第２穴部の半径方向の長さは、板状の支持軸の半径方向の幅よりも大きくなるようにそれぞれ形成されている。このように構成すれば、表示画面部側支持部材を回動させる際に、支持軸の下端部が第１穴部の弧状部分に接触することを抑制することができるとともに、支持軸の上端部が第２穴部の弧状部分に接触することを抑制することができる。したがって、表示画面部が回動される際に、構成要素が互いにがたつかないので、表示画面部の回動動作を安定して行うことができる。
【００２４】
上記第２の局面による表示画面旋回装置において、好ましくは、板状の支持軸の厚みと、扇形状の第１穴部の第１根元部および扇形状の第２穴部の第２根元部の支持軸の厚み方向の幅とは、実質的に等しくなるように構成されている。このように構成すれば、表示画面部側支持部材を回動させる際に、表示画面部側支持部材および台座部側支持部材に挿入された支持軸が、支持軸の上端部を回動中心とする表示画面部側支持部材の第１穴部の根元部、および、支持軸の下端部を回動中心とする台座部側支持部材の第２穴部の根元部からずれることを抑制することができる。したがって、表示画面部を滑らかに回動させることができる。
【発明を実施するための最良の形態】
【００２５】
以下、本発明を具体化した実施形態を図面に基づいて説明する。
【００２６】
図１は、本発明の一実施形態による表示画面旋回装置が設けられた液晶テレビジョンの全体構成を示した斜視図である。図２は、図１に示した本発明の一実施形態による表示画面旋回装置が設けられた液晶テレビジョンの分解斜視図である。図３は、図１に示した本発明の一実施形態による表示画面旋回装置の平面図である。図４〜図１４は、図１に示した本発明の一実施形態による表示画面旋回装置の詳細構造を示した図である。まず、図１〜図１４を参照して、本発明の一実施形態による表示画面旋回装置２０および表示画面旋回装置２０が設けられた液晶テレビジョン１００の構造について説明する。なお、本実施形態では、表示装置の一例である液晶テレビジョンの表示画面旋回装置に本発明を適用した場合について説明する。
【００２７】
本発明の一実施形態による表示画面旋回装置２０は、図１に示すように、表示画面部支持機構８０によって支持されている液晶テレビジョン１００のディスプレイ本体１０を、水平面内で左右方向（矢印Ａ方向およびＢ方向）に所定の角度（本実施形態では±３０度）旋回させるとともに、垂直面に対して前後方向（矢印Ｃ方向およびＤ方向）に所定の角度範囲（本実施形態では−１０度（前側）〜＋９０度（後側））で傾けることを可能とするために設けられている。なお、ディスプレイ本体１０は、本発明の「表示画面部」の一例である。
【００２８】
また、表示画面旋回装置２０は、図３に示すように、表示画面部支持機構８０（図２参照）によって支持されているディスプレイ本体１０（図２参照）を水平面内で左右方向（図１の矢印Ａ方向およびＢ方向）に旋回させるための台座部３０と、台座部３０に配置された後述する旋回板３１を左右方向（図１の矢印Ａ方向およびＢ方向）に旋回させるとともに旋回板３１の旋回角度を制御する水平旋回駆動部４０と、表示画面部支持機構８０（図２参照）によって支持されているディスプレイ本体１０（図２参照）を垂直面に対して前後方向（図１の矢印Ｃ方向およびＤ方向）に所定の角度だけ旋回させるとともに表示画面部支持機構８０（図２参照）の旋回角度を制御する垂直旋回駆動部５０とから構成されている。
【００２９】
また、台座部３０は、図３〜図５に示すように、表示画面部支持機構８０（図２参照）が取り付けられる板金製の旋回板３１と、内部に複数（本実施形態では１２個）の鋼球３２（図５参照）を所定の間隔（本実施形態では３０度間隔）で配置するとともに鋼球３２（図５参照）を回転可能に保持する樹脂製のガイド部材３３（図５参照）と、板金製のベース部材３４と、旋回板３１をベース部材３４上で回動可能に支持する金属製の支持部材（図示せず）と、後述するギア４５およびギア５５の回動軸が回動可能に挿入されるとともに、後述する垂直旋回駆動部５０のラックプレート６０が水平面内で往復動可能に挿入される樹脂製のボス部材３５と、ボス部材３５に挿入されるラックプレート６０の抜止用リング部材３６とから構成されている。
【００３０】
また、垂直旋回駆動部５０は、図３および図５に示すように、複数のギア部材からなる伝達ギア部５１と、伝達ギア部５１の駆動源となるステッピングモータ５２と、台座部３０の旋回板３１上に取り付けられた表示画面部支持機構８０に回動可能に設けられた後述する表示画面部側支持部材８１を垂直面に対して前後方向（図１の矢印Ｃ方向およびＤ方向）に回動させるためのラックプレート６０とから構成されている。また、垂直旋回駆動部５０は、図３〜図５に示すように、台座部３０の内部に配置されるように構成されている。
【００３１】
また、垂直旋回駆動部５０のラックプレート６０は、図５に示すように、板金製のプレート部材６１と、樹脂製のラックギア６２と、板金製のロックレバー６３と、バネ部材６４（本実施形態ではコイルバネ）と、ピン部材６５とから構成されている。また、ラックギア６２は、図５に示すように、１つのネジ９０によってプレート部材６１の下面側に取り付けられている。また、ラックギア６２は、図３に示すように、後述するギア５５の小径ギア部５５ｂに対して水平方向に噛合するように構成されている。また、プレート部材６１は、図５および図８に示すように、プレート部材６１の長手方向の両端部近傍に、プレート部材６１の長手方向に沿って延びる長孔６１ａおよび６１ｂがそれぞれ設けられるとともに、プレート部材６１の実質的に中央部に、孔６１ｃが設けられている。また、図３および図４に示すように、ラックプレート６０が、プレート部材６１の長孔６１ａおよび６１ｂを介してベース部材３４に設けられた一対のボス部材３５にそれぞれ挿入された際に、ラックプレート６０は、矢印Ｐ方向および矢印Ｑ方向に往復移動（スライド）可能なように構成されている。したがって、ラックプレート６０は、ステッピングモータ５２の正逆回転が伝達ギア部５１を介してラックギア６２まで伝達されることによって、旋回板３１上を矢印Ｐ方向および矢印Ｑ方向に往復移動することが可能なように構成されている。また、プレート部材６１の孔６１ｃは、図３および図５に示すように、表示画面部支持機構８０の後述する係合部材８７が、孔６１ｃの内部で自由に移動することが可能なように構成されている。
【００３２】
また、プレート部材６１は、図５および図８に示すように、２つの位置決め孔６１ｄと、ネジ取付孔６１ｅとを含んでいる。また、ラックギア６２は、図５および図９に示すように、長手方向の一方側面部に沿ってギア部６２ａが形成されるとともに、２つのボス６２ｂおよび１つのネジ挿入孔６２ｃが設けられている。したがって、図５に示すように、ラックギア６２のボス６２ｂをプレート部材６１の位置決め孔６１ｄに嵌め込むとともに、ネジ９０をラックギア６２のネジ挿入孔６２ｃを介してプレート部材６１のネジ取付孔６１ｅに締め込むことによって、ラックギア６２をプレート部材６１に下方から取り付けることが可能なように構成されている。
【００３３】
また、ラックプレート６０は、図５および図９に示すように、プレート部材６１の上部からピン部材６５をロックレバー６３の孔６３ａおよびプレート部材６１の孔６１ｆの順に挿入した上で、ロックレバー６３がプレート部材６１に水平方向に回動可能となるように取り付けられている。また、図９に示すように、バネ部材６４を、ロックレバー６３のフック部６３ｂと、プレート部材６１のフック部６１ｈとに係合させるように構成されている。したがって、ロックレバー６３は、バネ部材６４の引張力によって通常の状態では図９に示すような位置に配置されている。その際、図９に示すように、ロックレバー６３のフック部６３ｂが、プレート部材６１の孔６１ｇの内部を移動（回動）することが可能なように構成されている。
【００３４】
また、ロックレバー６３は、図５および図８に示すように、表示画面部支持機構８０（図５参照）の係合部材８７（図５参照）が係合可能な係合部６３ｃを一体的に有している。したがって、図３に示すように、ラックプレート６０が矢印Ｐ方向および矢印Ｑ方向に往復移動（スライド）するのに伴って、ロックレバー６３もラックプレート６０と一体的に往復移動されるために、表示画面部支持機構８０（図４参照）の表示画面部側支持部材８１（図４参照）が、係合部材８７（図４参照）とともに上下方向（矢印Ｃ方向および矢印Ｄ方向）に回動することが可能なように構成されている。
【００３５】
また、ロックレバー６３は、図８に示すように、孔６３ａと係合部６３ｃを結ぶ線分３００（１点鎖線）を斜めに横断するように形成されたガイド部６３ｄを有している。このガイド部６３ｄは、係合部材８７（図５参照）と係合部６３ｃとの係合状態を回復させる際に、係合部材８７（図５参照）を容易に係合部６３ｃへ導くことを可能とするために設けられている。
【００３６】
また、伝達ギア部５１は、図３に示すように、樹脂製のギア５３と、トルクリミッタ７０と、樹脂製のギア５４と、樹脂製のギア５５とが樹脂製のギアボックス５６の内部に配置されるように構成されている。また、トルクリミッタ７０は、図３および図６に示すように、樹脂製の従動側ギア７１と、樹脂製の原動側ギア７２と、金属製のバネ部材７３（本実施形態ではコイルバネ）とから構成されている。また、図３および図６に示すように、樹脂製のギア５３は、大径ギア部５３ａと、小径ギア部５３ｂとを一体的に含んでいる。また、樹脂製のギア５４は、大径ギア部５４ａと、小径ギア部５４ｂとを一体的に含んでいる。さらに、樹脂製のギア５５は、大径ギア部５５ａと、小径ギア部５５ｂとを一体的に含んでいる。
【００３７】
また、図３および図５に示すように、ステッピングモータ５２の回転軸には、樹脂製のウォームギア５７が圧入されている。また、図３および図６に示すように、ウォームギア５７は、ギア５３の大径ギア部５３ａに対して回転軸が直交するように噛合されている。
【００３８】
また、図５および図６に示すように、ギア５３の小径ギア部５３ｂは、トルクリミッタ７０の原動側ギア７２のギア部７２ａに回転軸が平行に噛合されている。また、図５および図６に示すように、トルクリミッタ７０の従動側ギア７１のギア部７１ａは、ギア５４の大径ギア部５４ａに回転軸が平行に噛合されているとともに、ギア５４の小径ギア部５４ｂは、ギア５５の大径ギア部５５ａに回転軸が平行に噛合されている。また、図５および図６に示すように、ギア５５の小径ギア部５５ｂは、ラックギア６２のギア部６２ａに水平に噛合されている。したがって、ステッピングモータ５２の駆動力が、ウォームギア５７、ギア５３、トルクリミッタ７０、ギア５４、ギア５５およびラックギア６２を介してラックプレート６０へと伝達されるように構成されている。なお、図５および図６では、伝達ギア部５１の配置構成を説明するために、伝達ギア部５１およびステッピングモータ５２を内部に配置するためのギアボックス５６（図３参照）を図面から省略している。
【００３９】
また、台座部３０の旋回板３１は、図５および図９に示すように、上面３１ａに設けられた４つのネジ取付孔３１ｂと、上面３１ａの中心部（旋回板３１の回動中心点近傍）に設けられた孔３１ｃとを含んでいる。また、図３に示すように、旋回板３１は、ベース部材３４の実質的に中央部に配置されるとともに、旋回板３１を円形状に取り囲むようにベース部材３４に設けられた複数の支持部材（図示せず）が、旋回板３１の外周面３１ｄ（図５参照）と、ガイド部材３３（図５参照）の外周面３３ａ（図５参照）とに面接触することによって回動可能に保持されている。
【００４０】
また、表示画面部支持機構８０は、図２に示すように、台座部３０の旋回板３１のネジ取付孔３１ｂに４つのネジ９０によって固定されており、図１に示すように、ディスプレイ本体１０を表示画面旋回装置２０の垂直面に対して前後方向（矢印Ｃ方向およびＤ方向）に回動可能とするとともに、ディスプレイ本体１０を表示画面旋回装置２０の垂直面に対して前後方向（矢印Ｃ方向およびＤ方向）に所定の角度だけ傾斜させた状態で支持することが可能なように構成されている。
【００４１】
ここで、本実施形態では、表示画面部支持機構８０は、図５および図９に示すように、板金製の表示画面部側支持部材８１と、一対の台座部側支持部材８２と、板金製により板状に形成された支持軸８３（２つ）と、板金製の抜止部材８４（２つ）と、板金製の圧接板８５および８６（それぞれ２つ）と、ラックプレート６０のロックレバー６３の係合部６３ｃに係合する金属製の係合部材８７とから構成されている。
【００４２】
また、表示画面部側支持部材８１は、図９に示すように、ディスプレイ本体取付部８１ａと、一対の回動部８１ｂとを一体的に含んでいる。また、表示画面部側支持部材８１のディスプレイ本体取付部８１ａには、４つのネジ挿入孔８１ｃが設けられている。また、表示画面部側支持部材８１の一対の回動部８１ｂは、ディスプレイ本体取付部８１ａの両側端部から、それぞれ、ディスプレイ本体取付部８１ａの表面に対して垂直方向に延びるように設けられている。また、一対の台座部側支持部材８２は、図９に示すように、それぞれ、旋回板取付部８２ａと、回動部取付部８２ｂとを含んでいる。また、台座部側支持部材８２の旋回板取付部８２ａには、４つのネジ取付孔８２ｃ（図３参照）が設けられている。また、台座部側支持部材８２の回動部取付部８２ｂは、旋回板取付部８２ａの一方端部から旋回板取付部８２ａの表面に対して垂直方向の上方に延びるように設けられている。
【００４３】
ここで、本実施形態では、図１１に示すように、表示画面部側支持部材８１の一対の回動部８１ｂの回動中心部近傍には、ぞれぞれ、扇形状の穴部８１ｄが設けられている。また、図１２に示すように、一対の台座部側支持部材８２の回動部取付部８２ｂには、ぞれぞれ、扇形状の穴部８２ｄが設けられている。なお、穴部８１ｄおよび穴部８２ｄは、それぞれ、本発明の「第１穴部」および「第２穴部」の一例である。また、図１０に示すように、表示画面部側支持部材８１の穴部８１ｄおよび台座部側支持部材８２の穴部８２ｄには、それぞれ、板状の支持軸８３が挿入可能なように構成されている。また、図１０に示すように、ディスプレイ本体１０（図４参照）が表示画面部側支持部材８１とともに表示画面旋回装置２０が置かれた水平面に対して垂直に配置された際に、支持軸８３の側面８３ａが、垂直方向（線分４００（１点鎖線）で示した方向）から所定角度θ（約３０度）傾斜されるとともに、台座部側支持部材８２の穴部８２ｄの一方縁８２ｅと当接するように構成されている。なお、一方縁８２ｅは、本発明の「内側縁部」の一例である。
【００４４】
また、本実施形態では、図１２に示すように、支持軸８３は、表示画面部側支持部材８１（図１１参照）の穴部８１ｄ（図１１参照）を介して伝えられたディスプレイ本体１０（図４参照）の自重による垂直荷重Ｗのうち、所定角度θ（約３０度）だけ傾斜された支持軸８３の側面８３ａと直交する方向の分力Ｗ１（Ｗ１＝Ｗｓｉｎθ）によって、支持軸８３の側面８３ａが台座部側支持部材８２の穴部８２ｄの一方縁８２ｅと当接するように押圧されるように構成されている。
【００４５】
また、本実施形態では、表示画面部側支持部材８１の穴部８１ｄは、図１１に示すように、円心側の根元部８１ｅが上側に位置するように配置されているとともに、円心側の根元部８１ｅが支持軸８３の上端面部８３ｂと当接されるように形成されている。これにより、表示画面部側支持部材８１は、根元部８１ｅを回動の中心点として、矢印Ｃ方向および矢印Ｄ方向にそれぞれ回動されるように構成されている。なお、上端面部８３ｂおよび根元部８１ｅは、それぞれ、本発明の「端部」および「第１根元部」の一例である。
【００４６】
また、本実施形態では、台座部側支持部材８２の穴部８２ｄは、図１２に示すように、円心側の根元部８２ｇが下側に位置するように配置されているとともに、支持軸８３の下端面部８３ｃと当接されるように構成されている。したがって、本実施形態では、図１０に示すように、ディスプレイ本体１０（図４参照）が表示画面部側支持部材８１とともに表示画面旋回装置２０が置かれた水平面に対して垂直に配置された際に、表示画面部側支持部材８１の穴部８１ｄの根元部８１ｅと、台座部側支持部材８２の穴部８２ｄの根元部８２ｇとを結ぶ線分５００（１点鎖線）が、垂直方向（線分４００（１点鎖線）で示した方向）から所定角度θ（約３０度）傾斜されるように構成されている。なお、根元部８２ｇは、本発明の「第２根元部」の一例である。
【００４７】
また、本実施形態では、図１１に示すように、表示画面部側支持部材８１の穴部８１ｄの半径方向の長さＬ１（一方縁８１ｆおよび他方縁８１ｇの長さ）は、支持軸８３の幅Ｌ５（図１３参照）よりも大きく形成されている。また、図１２に示すように、台座部側支持部材８２の穴部８２ｄの半径方向の長さＬ２（一方縁８２ｅおよび他方縁８２ｆの長さ）は、支持軸８３の幅Ｌ５（図１３参照）よりも若干大きく形成されている。これにより、表示画面部側支持部材８１および支持軸８３が回動される際に、板状の支持軸８３の上端面部８３ｂおよび下端面部８３ｃが、それぞれ、穴部８１ｄの弧状部分および穴部８２ｄの弧状部分と接触しないように構成されている。
【００４８】
また、本実施形態では、図１１に示すように、表示画面部側支持部材８１の穴部８１ｄの根元部８１ｅの幅Ｌ３は、支持軸８３の厚みｔ１（図１３参照）と実質的に同じ大きさを有している。また、図１２に示すように、台座部側支持部材８２の穴部８２ｄの根元部８２ｇの幅Ｌ４（図９参照）は、支持軸８３の厚みｔ１（図１３参照）と実質的に同じ大きさを有している。このため、支持軸８３は、上端面部８３ｂおよび下端面部８３ｃが、それぞれ、表示画面部側支持部材８１の穴部８１ｄの根元部８１ｅおよび台座部側支持部材８２の穴部８２ｄの根元部８２ｇからずれることがないように構成されている。なお、本実施形態では、図１０に示すように、板金製の支持軸８３は断面が矩形形状であり、上端面部８３ｂおよび下端面部８３ｃは、実質的に、厚みｔ１（図１３参照）を有する平面から構成されている。
【００４９】
以上から、本実施形態では、表示画面部支持機構８０は、支持軸８３の側面８３ａが穴部８２ｄの一方縁８２ｅに当接している際は、表示画面部側支持部材８１が、支持軸８３の上端面部８３ｂを回動の中心点として矢印Ｃ方向および矢印Ｄ方向に回動される動作と、表示画面部側支持部材８１の穴部８１ｄの一方縁８１ｆが支持軸８３の側面８３ａに到達した以降においては、表示画面部側支持部材８１および支持軸８３がともに支持軸８３の下端面部８３ｃを回動の中心点として矢印Ｃ方向および矢印Ｄ方向に回動される動作とを行うことが可能なように構成されている。
【００５０】
また、表示画面部側支持部材８１の穴部８１ｄ（実線で示す）は、図１０に示すように、線分４００（１点鎖線）から一方に開く角度α１（約４５度）の中心角と他方に開く角度β１（約１０度）の中心角とを有している。したがって、表示画面部側支持部材８１は、板状の支持軸８３に支持された扇形状の穴部８１ｄの根元部８１ｅ（破線で示す）を中心にして、支持軸８３に対して扇形状の角度範囲（本実施形態では、α１＋β１＝約５５度）で回動可能に構成されている。また、台座部側支持部材８２の穴部８２ｄ（破線で示す）は、図１０および図１２に示すように、線分４００（１点鎖線）から一方に開く角度α２（約４５度）の中心角を有している。したがって、支持軸８３は、扇形状の穴部８２ｄの根元部８２ｇを中心にして、台座部側支持部材８２に対して扇形状の角度範囲（本実施形態では、α２＝約４５度）で回動可能に構成されている。
【００５１】
また、表示画面部側支持部材８１は、図９および図１１に示すように、ディスプレイ本体取付部８１ａから下方向に延びるとともに回動部８１ｂの外周を沿うようにアーム部８１ｈが一体的に形成されている。また、図９および図１１に示すように、アーム部８１ｈの最下部に位置するとともにアーム部８１ｈの実質的に中央部に、係合部材８７を取り付けるための取付孔８１ｉが設けられている。また、係合部材８７は、図９に示すように、表示画面部側支持部材８１の水平面内の左右方向（矢印Ｇ１方向および矢印Ｇ２方向）の回動中心（旋回板３１の回動中心を示す）を通る垂直な線分４００（１点鎖線）上に配置されるように、取付孔８１ｉにかしめ加工によって取り付けられている。
【００５２】
また、板金製の板状の支持軸８３は、図１３に示すように、一対の当接部８３ｄと、長方形状の穴部８３ｅとを含んでいる。支持軸８３の一対の当接部８３ｄは、支持軸８３の長手方向に延びる両側面の後端部に突出するように設けられている。この当接部８３ｄは、図２および図９に示すように、表示画面部側支持部材８１側の圧接板８６と当接させるために設けられている。また、支持軸８３の長方形状の穴部８３ｅは、図２および図９に示すように、抜止部材８４を挿入するために設けられている。
【００５３】
また、圧接板８５および８６には、支持軸８３を挿入するための長方形の穴部８５ａおよび８６ａがそれぞれ設けられている。また、表示画面部側支持部材８１は、図２に示すように、一対の台座部側支持部材８２に所定のトルク以上で回動可能となるように取り付けられている。
【００５４】
また、図１４に示すように、板金製の抜止部材８４はテーパ形状の端面部８４ａと端面部８４ｂとを含むように形成されているとともに、長手方向に延びる一方側面８４ｃに設けられた面取部８４ｄと、長手方向に延びる他方側面８４ｅに設けられた面取部８４ｆとを含むように形成されている。また、図１４に示すように、抜止部材８４の一方側面８４ｃの長さＬ６は、他方側面８４ｅの長さＬ７より短く設けられ、端面部８４ａと端面部８４ｂとの距離（抜止部材８４の厚み方向Ｘと直交する方向Ｙの長さ）が、Ｌ６からＬ７へ直線的に変化するように構成されている。このように抜止部材８４がテーパ形状（クサビ形状）に形成されていることによって、図２に示すように、抜止部材８４が、板状の支持軸８３に設けられた長方形状の穴部８３ｅ（図９参照）に挿入した際に、容易に抜け落ちることを抑制するために設けられている。また、面取部８４ｂは、抜止部材８４を支持軸８３に設けられた長方形状の穴部８３ｅ（図９参照）に挿入しやすくするために設けられている。
【００５５】
また、水平旋回駆動部４０は、図３および図５に示すように、台座部３０上の旋回板３１を水平面内で左右方向（図１の矢印Ａ方向およびＢ方向）に回動させるための伝達ギア部４１と、伝達ギア部４１の駆動源となるステッピングモータ４２とから構成されている。また、水平旋回駆動部４０は、図３および図４に示すように、台座部３０の内部に配置されるように構成されている。また、伝達ギア部４１は、図３に示すように、樹脂製のギア４３と、トルクリミッタ７５と、樹脂製のギア４４と、樹脂製のギア４５とが樹脂製のギアボックス４６に配置されるように構成されている。
【００５６】
また、図５に示すように、ステッピングモータ４２の回転軸には、樹脂製のウォームギア４７が圧入されている。また、図５および図７に示すように、ギア４３は、大径ギア部４３ａと、小径ギア部４３ｂとを一体的に含んでいる。また、ギア４４は、大径ギア部４４ａと、小径ギア部４４ｂとを一体的に含んでいる。さらに、ギア４５は、大径ギア部４５ａと、小径ギア部４５ｂとを一体的に含んでいる。また、図３および図５に示すように、台座部３０の旋回板３１の上面３１ａには、樹脂製の旋回ギア部材４８が、４つのネジ９０によって固定されている。したがって、図５および図７に示すように、ステッピングモータ４２（図５参照）の駆動力が、ウォームギア４７、ギア４３、トルクリミッタ７５、ギア４４、ギア４５および旋回ギア部材４８を介して旋回板３１へと伝達されるように構成されている。なお、図５および図７では、伝達ギア部４１の配置構成を説明するために、伝達ギア部４１およびステッピングモータ４２を内部に配置するためのギアボックス４６（図３参照）を図面から省略している。
【００５７】
また、トルクリミッタ７５は、図３および図７に示すように、樹脂製の従動側ギア７６と、樹脂製の原動側ギア７７と、金属製のバネ部材７８（本実施形態ではコイルバネ）とから構成されている。
【００５８】
また、図１および図２に示すように、ディスプレイ本体１０は、樹脂製のフロントキャビネット１１と、樹脂製のリアキャビネット１２とから構成されている。また、ディスプレイ本体１０の内部には、液晶パネル１３（図４参照）が取り付けられた液晶モジュール１４（図４参照）が、フロントキャビネット１１およびリアキャビネット１２とによって取り囲まれるように構成されている。また、ディスプレイ本体１０は、表示画面部側支持部材８１のネジ挿入孔８１ａを介して、リアキャビネット１２のネジ取付孔（図示せず）にネジ９０が締め付けられることにより、表示画面部側支持部材８１に取り付けられている。また、リアキャビネット１２には、表示画面部側支持部材８１を覆い隠して配置するための切欠部１２ａが一体的に設けられている。また、リアキャビネット１２の外周部には、複数のネジ挿入孔１２ｂ（本実施形態では７個所）が設けられ、ネジ９１によってフロントキャビネット１１に取り付けられるように構成されている。
【００５９】
また、表示画面旋回装置２０には、図１および図４に示すように、樹脂製のカバー部材２１が、台座部３０のベース部材３４の下面側から挿入されたネジ（図示せず）によってベース部材３４に取り付けられている。また、図１および図４に示すように、樹脂製のカバー部材２２が上方から台座部３０を覆うとともに、台座部３０の旋回板３１と一体的に水平方向（図１の矢印Ａ方向およびＢ方向）に旋回することが可能なように旋回板３１の上面３１ａにネジ（図示せず）によって取り付けられている。また、図２および図４に示すように、樹脂製のカバー部材２２には、表示画面部支持機構８０（表示画面部側支持部材８１）を前後方向（図１の矢印Ｃ方向およびＤ方向）に回動可能に配置するための切欠部２２ａが設けられている。
【００６０】
図１５〜図２８は、図１に示した本発明の一実施形態による表示画面旋回装置の垂直方向および水平方向の旋回動作を説明するための図である。次に、図１、図３、図４、図６、図７〜図１０、図１２および図１５〜図２８を参照して、本発明の一実施形態による表示画面旋回装置２０の前後方向および左右方向の旋回動作について説明する。
【００６１】
なお、図４に示すように、表示画面旋回装置２０が表示画面部支持機構８０を垂直面に対して前後方向（矢印Ｃ方向および矢印Ｄ方向）に回動させた場合、ディスプレイ本体１０の液晶パネル１３は、上向き方向（上方向）および下向き方向（下方向）に回動されるので、以降の動作説明では、前後方向を上下方向として記述する。
【００６２】
まず、表示画面旋回装置２０の上下方向（図１の矢印Ｃ方向および矢印Ｄ方向）の旋回動作について説明する。
【００６３】
図３に示すように、表示画面部側支持部材８１が台座部３０上の旋回板３１に対して垂直であるとともに正面を向いた状態（旋回ギア部材４８の旋回ギア部４８ａの中央部がギア４５の小径ギア部４５ｂと噛合している状態）から、ユーザが付属リモコン（図示せず）の上方向チルトボタン（図示せず）を押圧することによって、ディスプレイ本体１０（図１参照）を上方向（図１の矢印Ｃ方向）に旋回させる信号がディスプレイ本体１０の制御回路部（図示せず）に送信される。そして、図３に示すように、ステッピングモータ５２が駆動するのに伴って、ステッピングモータ５２に取り付けられたウォームギア５７が矢印Ｅ１方向（図６参照）に回転するとともに、ギア５３が矢印Ｅ２方向に回転される。そして、ギア５３を介してトルクリミッタ７０の原動側ギア７２および従動側ギア７１が矢印Ｅ３方向に回転される。さらに、ギア５４が矢印Ｅ４方向に回転されるとともにギア５５が矢印Ｅ５方向に回転される。
【００６４】
また、図３に示すように、ギア５５の矢印Ｅ５方向への回転に伴い、ギア５５に対して水平方向に噛合するラックギア６２とともにラックプレート６０のプレート部材６１が矢印Ｐ方向に移動を開始する。これにより、図４に示すように、ロックレバー６３の係合部６３ｃに係合された表示画面部側支持部材８１の係合部材８７が、矢印Ｃ方向に回動を開始するので、表示画面部側支持部材８１に取り付けられたディスプレイ本体１０は、上方向（矢印Ｃ方向）へ旋回を開始する。
【００６５】
ここで、本実施形態では、図１６に示すように、支持軸８３は、表示画面部側支持部材８１の穴部８１ｄの根元部８１ｅを介して伝えられたディスプレイ本体１０（図４参照）の垂直荷重Ｗ（図１２参照）の分力Ｗ１（図１２参照）によって側面８３ａが台座部側支持部材８２の穴部８２ｄの一方縁８２ｅ（図１２参照）に圧接されているとともに、下端面部８３ｃが台座部側支持部材８２の穴部８２ｄの根元部８２ｇ（図１２参照）に実質的に隙間なく嵌め合わされているので、垂直面（線分４００（１点鎖線））から約３０度傾斜した状態が保持されている。したがって、ディスプレイ本体１０は、図１６に示すように、表示画面部側支持部材８１が、穴部８１ｄの根元部８１ｅと支持軸８３の上端面部８３ｂとの当接部分を回動中心としながら、矢印Ｃ方向に回動される。つまり、表示画面部側支持部材８１は、根元部８１ｅと、係合部材８７とロックレバー６３との係合点との距離Ｌ８を回転半径にもちながら、ラックプレート６０により矢印Ｃ方向に回動される。
【００６６】
そして、ステッピングモータ５２（図３参照）の駆動に伴って、図１７に示すように、ディスプレイ本体１０が取り付けられた表示画面部側支持部材８１が所定の旋回速度で矢印Ｃ方向への旋回を継続する。
【００６７】
また、ディスプレイ本体１０が、ユーザが所望する角度まで図４の矢印Ｃ方向に旋回された場合、ユーザは付属リモコン（図示せず）の上方向チルトボタン（図示せず）の押圧を解除することによって、表示画面部側支持部材８１は、図１７に示すような位置で矢印Ｃ方向への旋回が停止される。
【００６８】
また、ディスプレイ本体１０（図１７参照）の上方向（図１７の矢印Ｃ方向）への旋回動作がユーザによって継続されている状態において、図１５に示すように、ラックプレート６０が矢印Ｐ方向にスライドされるとともに、プレート部材６１の長孔６１ａおよび６１ｂの内側面の一方端部がボス部材３５の側面にそれぞれ当接することによって、ラックプレート６０は、矢印Ｐ方向へのスライドが抑制される。この際、図１８に示すように、表示画面部側支持部材８１は所定の旋回角度（本実施形態では約１０度）に到達される。したがって、ディスプレイ本体１０は、図１８に示すような位置で矢印Ｃ方向への旋回が停止される。なお、図１８に示す状態では、支持軸８３の側面８３ａ（図１６参照）は、表示画面部側支持部材８１の穴部８１ｄの一方縁８１ｆには当接されていない。
【００６９】
また、この際、ステッピングモータ５２（図１５参照）は駆動を継続しているので、ステッピングモータ５２（図１５参照）から伝達される駆動トルクがウォームギア５７（図１５参照）およびギア５３（図１５参照）を介して、トルクリミッタ７０（図１５参照）の原動側ギア７２（図１５参照）まで伝達されている。
【００７０】
また、図３に示すように、表示画面部側支持部材８１が台座部３０上の旋回板３１に対して垂直であるとともに正面を向いた状態から、ユーザが付属リモコン（図示せず）の下方向チルトボタン（図示せず）を押圧することによって、ディスプレイ本体１０（図１参照）を下方向（図１の矢印Ｄ方向）に旋回させる信号がディスプレイ本体１０の制御回路部（図示せず）に送信されるとともに、表示画面旋回装置２０のステッピングモータ５２が駆動される。具体的には、図３に示すように、ステッピングモータ５２が駆動するのに伴って、ステッピングモータ５２に取り付けられたウォームギア５７が矢印Ｆ１方向（図６参照）に回転するとともに、ギア５３を介してトルクリミッタ７０の原動側ギア７２が矢印Ｆ３方向に回転する。そして、図３に示すように、トルクリミッタ７０の従動側ギア７１が矢印Ｆ３方向に回転するとともに、ギア５４を介してギア５５が矢印Ｆ５方向に回転する。そして、図３に示すように、ラックギア６２とともにラックプレート６０が矢印Ｑ方向に移動する。これにより、図４に示すように、ロックレバー６３の係合部６３ｃに係合された係合部材８７が矢印Ｄ方向に回動を開始するので、表示画面部側支持部材８１に取り付けられたディスプレイ本体１０は、所定の回転速度で下方向（矢印Ｄ方向）へ旋回を開始する。
【００７１】
ここで、本実施形態では、図２０に示すように、支持軸８３は、ディスプレイ本体１０（図４参照）の垂直荷重Ｗ（図１２参照）の分力Ｗ１（図１２参照）によって側面８３ａが台座部側支持部材８２の穴部８２ｄの一方縁８２ｅ（図１２参照）に圧接されているとともに、下端面部８３ｃが台座部側支持部材８２の穴部８２ｄの根元部８２ｇ（図１２参照）に実質的に隙間なく嵌め合わされているので、垂直面（線分４００（１点鎖線））から約３０度傾斜した状態が保持されている。したがって、ディスプレイ本体１０は、図２０に示すように、表示画面部側支持部材８１が、穴部８１ｄの根元部８１ｅと支持軸８３の上端面部８３ｂとの当接部分を回動中心としながら、矢印Ｄ方向に回動される。つまり、表示画面部側支持部材８１は、根元部８１ｅと、係合部材８７とロックレバー６３との係合点との距離Ｌ８を回転半径にもちながら、ラックプレート６０により矢印Ｄ方向に回動される。
【００７２】
そして、ステッピングモータ５２（図３参照）の駆動に伴って、図１７に示すように、ディスプレイ本体１０が取り付けられた表示画面部側支持部材８１が所定の旋回速度で矢印Ｄ方向への旋回を継続する。
【００７３】
そして、ディスプレイ本体１０が、ユーザが所望する角度まで図４の矢印Ｄ方向に旋回された場合、ユーザは付属リモコン（図示せず）の下方向チルトボタン（図示せず）の押圧を解除することによって、表示画面部側支持部材８１は、図２１に示すような位置で矢印Ｄ方向への旋回が停止される。
【００７４】
また、ディスプレイ本体１０（図２１参照）の矢印Ｄ方向（図２１参照）への旋回動作がユーザによって継続されている状態において、図２２に示すように、支持軸８３の側面８３ａ（図１６参照）が、表示画面部側支持部材８１の扇形状の穴部８１ｄの他方縁８１ｇに当接することによって、表示画面部側支持部材８１は所定の旋回角度（本実施形態では約１０度）に到達されるとともに、矢印Ｄ方向への回動が規制される。また、この際、図１９に示すように、矢印Ｑ方向にスライドされたラックプレート６０が、プレート部材６１の長孔６１ａおよび６１ｂの内側面の他方端部がボス部材３５の側面にそれぞれ当接されることによって、ラックプレート６０は、矢印Ｑ方向へのスライドが抑制される。したがって、ディスプレイ本体１０は、図２２に示すような位置で矢印Ｄ方向への旋回が停止される。この際、ステッピングモータ５２（図１９参照）は駆動を継続しているので、ステッピングモータ５２（図１９参照）から伝達される駆動トルクがウォームギア５７（図１９参照）およびギア５３（図１９参照）を介して、トルクリミッタ７０（図１９参照）の原動側ギア７２（図１９参照）まで伝達される。
【００７５】
また、表示画面旋回装置２０の上下方向（図１の矢印Ｃ方向および矢印Ｄ方向）の旋回動作には、上述の付属リモコン（図示せず）による旋回動作に加えて、ユーザが直接的にディスプレイ本体１０を押圧することによってディスプレイ本体１０の回動動作を行うことも可能とされている。以下に、ユーザの手動によるディスプレイ本体１０の上下方向（図１の矢印Ｃ方向および矢印Ｄ方向）の旋回動作について説明する。
【００７６】
まず、図４に示すように、ディスプレイ本体１０が表示画面旋回装置２０に垂直に載置された状態において、ユーザが、台座部３０の裏側から、ベース部材３４の中心部に設けられた孔３４ａと、旋回部３１の孔３１ｃを介して指を差し込むことによって、ロックレバー６３を矢印Ｕ１方向（図２３参照）に移動（回動）させる。このとき、ロックレバー６３は、図２３に示すように、外形形状が２点鎖線で示された位置から実線で示された位置へと回動する。
【００７７】
そして、図２３に示すように、ロックレバー６３の係合部６３ｃが表示画面部支持機構８０の係合部材８７から矢印Ｕ１方向に外れることによって、表示画面部側支持部材８１と、ラックプレート６０との係合状態が解除される。また、図２３に示すように、係合部材８７は、プレート部材６１に設けられた孔６１ｃによって、プレート部材６１に干渉することなく自由に回動することが可能な状態となっている。
【００７８】
そして、ユーザが、図４に示した表示画面部側支持部材８１が表示画面旋回装置２０に対して垂直に支持されている状態から、表示画面部側支持部材８１により支持されるディスプレイ本体１０を矢印Ｃ方向に押圧する。
【００７９】
ここで、本実施形態では、前述と同様に、図１６に示すように、支持軸８３が垂直面（図１６の線分４００）から約３０度傾斜した状態が保持された状態で、表示画面部側支持部材８１が、穴部８１ｄの根元部８１ｅを回動中心としながら矢印Ｃ方向に回動される。つまり、表示画面部側支持部材８１は回転半径をＬ８としながら矢印Ｃ方向に回動される。
【００８０】
そして、ユーザにより表示画面部側支持部材８１が約４５度（図１０の角度α１）回動されると、図２４に示すように、支持軸８３の側面８３ａ（図１６参照）は、表示画面部側支持部材８１の扇形状の穴部８１ｄの一方縁８１ｆに当接する。
【００８１】
また、この状態で、ユーザがディスプレイ本体１０を矢印Ｃ方向に更に押圧すると、図２４に示すように、表示画面部側支持部材８１および支持軸８３が、台座部側支持部材８２の扇形状の穴部８２ｄの根元部８２ｇを回動中心として、矢印Ｃ方向への回動を継続する。なお、この際は、表示画面部側支持部材８１は、根元部８２ｇと、係合部材８７とロックレバー６３との係合点との距離Ｌ９（図１６参照）を回転半径として矢印Ｃ方向に回動される。そして、表示画面部側支持部材８１および支持軸８３が、矢印Ｃ方向に更に約４５度（図１０の角度α２）回動されると、図２５に示すように、支持軸８３の側面８３ａ（図１６参照）は、台座部側支持部材８２の扇形状の穴部８２ｄの他方縁８２ｆに当接することによって、矢印Ｃ方向への回動が規制される。このように、本実施形態では、図２５に示すように、ディスプレイ本体１０を上方向（矢印Ｃ方向）に約９０度まで回動させることが可能である。なお、上記の動作中は、ロックレバー６３はバネ部材６４の引張力によって、図８に示すようなもとの位置に戻されている。
【００８２】
また、図２５にした状態から、ユーザによって、ディスプレイ本体１０を矢印Ｄ方向に押圧すると、上述と反対の回動動作によって、ディスプレイ本体１０を垂直な状態まで回動させることも可能である。この際、図２４に示すように、ユーザによってディスプレイ本体１０が水平位置から矢印Ｄ方向に所定の角度（本実施形態では約８０度）まで回動された際、表示画面部側支持部材８１の係合部材８７が、ロックレバー６３のガイド部６３ｄに斜め上方から降下する動作に伴って、係合部材８７の側面部がロックレバー６３のガイド部６３ｄに徐々に当接を開始する。このとき、図２６に示すように、係合部材８７は、ガイド部６３ｄに沿いながら、矢印Ｑ方向に移動（回動）されるとともに、ロックレバー６３はもとの位置（外形形状が２点鎖線で示された位置）から矢印Ｕ１方向に若干角度回動される。この状態で、図４に示すように、ディスプレイ本体１０は、ディスプレイ本体１０が表示画面旋回装置２０に対して垂直に支持されている状態まで残りの約１０度を矢印Ｄ方向に回動される。そして、図２３に示すように、係合部材８７は、ロックレバー６３のガイド部６３ｄを矢印Ｑ方向に通り越して係合部６３ｃまで到達するとともに、バネ部材６４の引張力によって、ロックレバー６３は矢印Ｕ２方向に回動される。つまりロックレバー６３は、外形形状を２点鎖線で示した位置まで戻される。この結果、図３に示すように、係合部材８７は、係合部６３ｃとの係合状態が回復される。
【００８３】
次に、表示画面旋回装置２０の水平面内における左右方向の旋回動作について説明する。
【００８４】
まず、図３に示すように、ユーザが付属リモコン（図示せず）の水平ターンボタン（図示せず）を押圧することによって、表示画面旋回装置２０のステッピングモータ４２が駆動される。そして、図３に示した状態から図２７に示すように、伝達ギア部４１を介して、表示画面部側支持部材８１が取り付けられた旋回板３１が矢印Ｇ１方向に旋回を開始するので、ディスプレイ本体１０（図１参照）は、右方向（図１の矢印Ａ方向）へ旋回を開始する。なお、図２７では、旋回板３１の水平方向の旋回動作を説明するために、垂直旋回駆動部５０（図３参照）を図面から省略している。
【００８５】
また、この際、図９に示すように、表示画面部側支持部材８１の係合部材８７は、旋回板３１および表示画面部側支持部材８１の左右方向（矢印Ｇ１方向および矢印Ｇ２方向）の回動中心上に配置されているので、係合部材８７は、旋回板３１の旋回動作に関係なく回動中心上を移動されない。したがって、図３に示すように、係合部材８７に係合されたラックプレート６０も、矢印Ｐ方向および矢印Ｑ方向への直線的な移動（スライド）が行われない。
【００８６】
そして、ディスプレイ本体１０が、ユーザが所望する角度まで旋回された場合、ユーザは付属リモコン（図示せず）の水平ターンボタン（図示せず）の押圧を解除することによって、旋回板３１は、図２７に示すような位置で矢印Ｇ１方向への旋回が停止される。
【００８７】
また、ディスプレイ本体１０（図１参照）の右方向（図１の矢印Ａ方向）への旋回動作がユーザによって継続されている状態において、台座部３０の旋回角度が最大（本実施形態では約３０度）となった場合は、旋回板３１は台座部３０の内部に設けられたストッパ部材（図示せず）に当接することによって、矢印Ａ方向（図１参照）への旋回動作が規制される。したがって、旋回板３１は、図２８に示すような位置で矢印Ｇ１方向への旋回が停止される。なお、図２８では、図２７と同様に旋回板３１の水平方向の旋回動作を説明するために、垂直旋回駆動部５０（図３参照）を図面から省略している。
【００８８】
なお、上記の旋回動作は、台座部３０を図２７および図２８に示す矢印Ｇ１方向に旋回させる際について説明したが、矢印Ｇ１方向とは反対の矢印Ｇ２方向へ旋回板３１を旋回させる旋回動作の際も、水平旋回駆動部４０によって上記と同様の旋回動作が行われるために、旋回板３１が矢印Ｇ２方向へ旋回されることによって、ディスプレイ本体１０（図１参照）は左方向（図１の矢印Ｂ方向）に旋回される。
【００８９】
また、本実施形態では、台座部３０上に垂直に載置されたディスプレイ本体１０が左右方向（図１の矢印Ａ方向および矢印Ｂ方向）に所定の角度だけ旋回された状態において、さらに、ディスプレイ本体１０（図１参照）が上下方向（図１の矢印Ｃ方向および矢印Ｄ方向）に旋回される動作も可能とされている。この場合も、表示画面支持機構８０は、前述と同様の動作によって、ディスプレイ本体１０（図１参照）を上下方向（図１の矢印Ｃ方向および矢印Ｄ方向）に旋回させる。
【００９０】
また、図２７および図２８に示すように、旋回部３１を水平方向（矢印Ｇ１方向および矢印Ｇ２方向）に所定の角度旋回させた状態においても、ユーザは上記と同様に、ロックレバー６３の操作を行うことによって、表示画面部側支持部材８１の上下方向（図４の矢印Ｃ方向および矢印Ｄ方向）の旋回動作を手動で行うことが可能である。
【００９１】
本実施形態では、上記のように、板状の支持軸８３が挿入される扇形状の穴部８１ｄを含むとともに、板状の支持軸８３の上端面部８３ｂを回動中心として回動可能な表示画面部側支持部材８１と、板状の支持軸８３が挿入される扇形状の穴部８２ｄを含むとともに、台座部３０側に設けられる台座部側支持部材８２とを備え、扇形状の穴部８１ｄの円心側の根元部８１ｅを、穴部８１ｄの上側に配置するとともに、扇形状の穴部８２ｄの円心側の根元部８２ｇを、穴部８２ｄの下側に配置し、かつ、ディスプレイ本体１０が表示画面部側支持部材８１とともに水平面に対して垂直に配置された際に、扇形状の穴部８１ｄに挿入された板状の支持軸８３の側面８３ａが、台座部側支持部材８２の扇形状の穴部８２ｄの一方縁８２ｅと当接するように構成することによって、ディスプレイ本体１０を垂直に配置された状態からステッピングモータ５２および伝達ギア部５１の駆動力により、ラックプレート６０を介して上下方向（図１の矢印Ｃ方向およびＤ方向）に回動させる際に、支持軸８３は、台座側支持部材８２の穴部８２ｄの一方縁８２ｅに当接して穴部８２ｄに対しては移動しない状態になるとともに、表示画面部側支持部材８１は、支持軸８３に対して表示画面部側支持部材８１の穴部８１ｄの上側の根元部８１ｅを回動中心として回動される。これにより、表示画面部側支持部材８１が、台座側支持部材８２の穴部８２ｄの下側の根元部８２ｇを回動中心として回動半径Ｌ９（図１６参照）により回動される場合と比べて、下方に配置されたラックプレート６０が係合される係合部材８７から表示画面部側支持部材８１の回動中心までの距離（図１６のＬ８に相当する）をより大きくすることができるので、その分、伝達ギア部５１が有するギア列の遊び（遊びに起因したがたつき）がディスプレイ本体１０の回動角度に与える影響をより小さくすることができる。したがって、ギア列の遊びの影響を抑制するために、支持軸８３および表示画面部側支持部材８１のサイズを変更することにより回動半径を大きくすることなく、表示画面部側支持部材８１の回動半径を大きくすることができるので、表示画面旋回装置２０のサイズが増大することを抑制することができる。
【００９２】
また、本実施形態では、ディスプレイ本体１０が表示画面部側支持部材８１とともに水平面に対して垂直に配置された際に、扇形状の穴部８１ｄに挿入された板状の支持軸８３の側面８３ａを、垂直方向（図１０の線分４００）に対して約３０度傾斜させるとともに、台座部側支持部材８２の扇形状の穴部８２ｄの一方縁８２ｅと当接するように構成することによって、ディスプレイ本体１０の自重（図１２の垂直荷重Ｗ）の分力Ｗ１により、板状の支持軸８３の側面８３ａが台座部側支持部材８２に設けられた穴部８２ｄの一方縁８２ｅに当接させることができるために、ディスプレイ本体１０は垂直に配置された状態を支持軸８３により保持されるとともに、ディスプレイ本体１０の安易な回動が抑制される。したがって、液晶ディスプレイ１００のディスプレイ本体１０に不要ながたつきが発生することを抑制することができる。
【００９３】
また、本実施形態では、板状の支持軸８３を、ディスプレイ本体１０が垂直に配置された状態で垂直方向（図１０の線分４００）から約３０度傾斜させることにより、ディスプレイ本体１０の自重による垂直荷重Ｗ（図１２参照）のうち、板状の支持軸８３の側面８３ａと直交方向の分力Ｗ１（図１２参照）によって、板状の支持軸８３の側面８３ａが台座部側支持部材８２の扇形状の穴部８２ｄの一方縁８２ｅと当接するように押圧されるように構成することによって、ディスプレイ本体１０の自重による垂直荷重Ｗが板状の支持軸８３に加わる際に、垂直荷重Ｗの分力Ｗ１を利用しているので、支持軸８３を容易に台座部側支持部材８２の穴部８２ｄの一方縁８２ｅに当接させることができる。したがって、ディスプレイ本体１０が垂直に配置された状態では、支持軸８３の回動動作を確実に規制することができる。
【００９４】
また、本実施形態では、ディスプレイ本体１０が表示画面部側支持部材８１とともに水平面に対して垂直に配置された際に、表示画面部側支持部材８１の扇形状の穴部８１ｄの円心側の根元部８１ｅと、台座部側支持部材８２の扇形状の穴部８２ｄの円心側の根元部８２ｇとを結ぶ線分を、垂直方向（図１０の線分４００）に対して約３０度傾斜するように構成することによって、ディスプレイ本体１０が垂直に配置された状態では、表示画面部側支持部材８１の穴部８１ｄの根元部８１ｅと、台座部側支持部材８２の穴部８２ｄの根元部８２ｇとによって、支持軸８３を約３０度傾斜させた状態として保持することができる。
【００９５】
また、本実施形態では、扇形状の穴部８１ｄの半径方向の長さＬ１および扇形状の穴部８２ｄの半径方向の長さＬ２を、板状の支持軸８３の半径方向の幅Ｌ５よりも大きくなるようにそれぞれ形成するように構成することによって、表示画面部側支持部材８１を回動させる際に、支持軸８３の上端面部８３ｂが穴部８２ｄの弧状部分に接触することを抑制することができるとともに、支持軸８３の下端面部８３ｃが穴部８１ｄの弧状部分に接触することを抑制することができる。したがって、ディスプレイ本体１０が垂直面に対して上下方向（図１の矢印Ｃ方向およびＤ方向）に回動される際に、表示画面部側支持部材８１、台座部側支持部材８２および支持軸８３が互いにがたつかないので、ディスプレイ本体１０の回動動作を安定して行うことができる。
【００９６】
また、本実施形態では、板状の支持軸８３の厚みｔ１と、扇形状の穴部８１ｄの根元部８１ｅの支持軸の厚み方向の幅Ｌ３および扇形状の穴部８２ｄの根元部８２ｆの支持軸の厚み方向の幅Ｌ４とを、実質的に等しくなるように構成することによって、表示画面部側支持部材８１を回動させる際に、表示画面部側支持部材８１および台座部側支持部材８２に挿入された支持軸８３が、支持軸８３の上端面部８３ｂを回動中心とする表示画面部側支持部材８１の穴部８１ｄの根元部８１ｅ、および、支持軸８３の下端面部８３ｃを回動中心とする台座部側支持部材８２の穴部８２ｄの根元部８２ｆからずれることを抑制することができる。したがって、ディスプレイ本体１０を滑らかに回動させることができる。
【００９７】
なお、今回開示された実施形態は、すべての点で例示であって制限的なものではないと考えられるべきである。本発明の範囲は、上記した実施形態の説明ではなく特許請求の範囲によって示され、さらに特許請求の範囲と均等の意味および範囲内でのすべての変更が含まれる。
【００９８】
たとえば、上記実施形態では、表示装置の一例としての液晶テレビジョンに表示画面旋回装置を設ける例を示したが、本発明はこれに限らず、有機ＥＬパネルなどの液晶パネル以外の表示画面部（表示パネル）を有する表示装置に表示画面旋回装置を設けるようにしてもよい。
【００９９】
また、上記実施形態では、断面が矩形形状の支持軸８３を設ける例を示したが、本発明はこれに限らず、支持軸８３の上端面部８３ｂおよび下端面部８３ｃの断面を半円形状に形成するとともに、表示画面部側支持部材８１の穴部８１ｄの根元部８１ｅおよび台座部側支持部材８２の穴部８２ｄの根元部８２ｇを、半円形状に形成するように構成してもよい。この変形例のように構成すれば、支持軸８３の上端面部８３ｂおよび下端面部８３ｃは、それぞれ、穴部８１ｄの根元部８１ｅおよび穴部８２ｄの根元部８２ｇと互いに滑らかに摺動することができるので、ディスプレイ本体１０をより一層滑らかに回動させることができる。
【０１００】
また、上記実施形態では、ディスプレイ本体１０が表示画面部側支持部材８１とともに水平面に対して垂直に配置された際に、扇形状の穴部８１ｄに挿入された板状の支持軸８３の側面８３ａを、垂直方向に対して約３０度傾斜させるように構成した例を示したが、本発明はこれに限らず、穴部８１ｄに挿入された板状の支持軸８３の側面８３ａを、垂直方向に対して３０度以外の所定角度（たとえば４５度）傾斜させるように、台座部側支持部材８２の穴部８２ｄを形成してもよい。
【０１０１】
また、上記実施形態では、表示画面部支持機構８０を、２つの支持軸８３により、一対の台座部側支持部材８２が、対応する表示画面部側支持部材８１に設けられた一対の回動部８１ｂと、それぞれ回動可能に組み合わされることにより構成した例を示したが、本発明はこれに限らず、１つの支持軸により、一対の台座部側支持部材８２と、表示画面部側支持部材８１に設けられた一対の回動部８１ｂとを貫通するように構成してもよい。この変形例のように構成すれば、表示画面部側支持部材の一対の回動部は、１本の支持軸の上端面部を回動中心として同期をとりながら回動されるので、ディスプレイ本体をより安定して回動させることができる。
【図面の簡単な説明】
【０１０２】
【図１】本発明の一実施形態による表示画面旋回装置が設けられた液晶テレビジョンの全体構成を示した斜視図である。
【図２】図１に示した一実施形態による表示画面旋回装置が設けられた液晶テレビジョンの分解斜視図である。
【図３】図１に示した一実施形態による表示画面旋回装置の平面図である。
【図４】図１に示した一実施形態による表示画面旋回装置の構成を説明するための断面図である。
【図５】図１に示した一実施形態による表示画面旋回装置の詳細構造を説明するための分解斜視図である。
【図６】図１に示した一実施形態による表示画面旋回装置の垂直旋回駆動部の伝達ギア部の配置構成を説明するための図である。
【図７】図１に示した一実施形態による表示画面旋回装置の水平旋回駆動部の伝達ギア部の配置構成を説明するための図である。
【図８】図１に示した一実施形態による垂直旋回駆動部のラックプレートの構造を説明するための図である。
【図９】図１に示した一実施形態による表示画面支持機構および旋回板の構造を示した分解斜視図である。
【図１０】図２の２００−２００線に沿った断面図である。
【図１１】図１に示した一実施形態による表示画面支持機構の表示画面支持部材の正面図である。
【図１２】図１に示した一実施形態による表示画面支持機構の台座部側支持部材の正面図である。
【図１３】図１に示した一実施形態による表示画面支持機構の支持軸を示した図である。
【図１４】図１に示した一実施形態による表示画面支持機構の抜止部材を示した図である。
【図１５】図１に示した一実施形態による表示画面旋回装置の前後（上下）方向の旋回動作を説明するための図である。
【図１６】図１に示した一実施形態による表示画面旋回装置の前後（上下）方向の旋回動作を説明するための図である。
【図１７】図１に示した一実施形態による表示画面旋回装置の前後（上下）方向の旋回動作を説明するための図である。
【図１８】図１に示した一実施形態による表示画面旋回装置の前後（上下）方向の旋回動作を説明するための図である。
【図１９】図１に示した一実施形態による表示画面旋回装置の前後（上下）方向の旋回動作を説明するための図である。
【図２０】図１に示した一実施形態による表示画面旋回装置の前後（上下）方向の旋回動作を説明するための図である。
【図２１】図１に示した一実施形態による表示画面旋回装置の前後（上下）方向の旋回動作を説明するための図である。
【図２２】図１に示した一実施形態による表示画面旋回装置の前後（上下）方向の旋回動作を説明するための図である。
【図２３】図１に示した一実施形態によるラックプレートのロックレバーの動作を説明するための図である。
【図２４】図１に示した一実施形態による表示画面旋回装置の前後（上下）方向の旋回動作を説明するための図である。
【図２５】図１に示した一実施形態による表示画面旋回装置の前後（上下）方向の旋回動作を説明するための図である。
【図２６】図１に示した一実施形態によるラックプレートのロックレバーの動作を説明するための図である。
【図２７】図１に示した一実施形態による表示画面旋回装置の左右方向の旋回動作を説明するための図である。
【図２８】図１に示した一実施形態による表示画面旋回装置の左右方向の旋回動作を説明するための図である。
【符号の説明】
【０１０３】
１０  ディスプレイ本体（表示画面部）
３０  台座部
８１  表示画面部側支持部材
８１ｄ  穴部（第１穴部）
８１ｅ  根元部（第１根元部）
８２  台座部側支持部材
８２ｄ  穴部（第２穴部）
８２ｅ  一方縁（内側縁部）
８２ｇ  根元部（第２根元部）
８３  支持軸
８３ａ  側面
８３ｂ  上端面部（端部）
【図１】
2008191603.tif 000003
【図２】
2008191603.tif 000004
【図３】
2008191603.tif 000005
【図４】
2008191603.tif 000006
【図５】
2008191603.tif 000007
【図６】
2008191603.tif 000008
【図７】
2008191603.tif 000009
【図８】
2008191603.tif 000010
【図９】
2008191603.tif 000011
【図１０】
2008191603.tif 000012
【図１１】
2008191603.tif 000013
【図１２】
2008191603.tif 000014
【図１３】
2008191603.tif 000015
【図１４】
2008191603.tif 000016
【図１５】
2008191603.tif 000017
【図１６】
2008191603.tif 000018
【図１７】
2008191603.tif 000019
【図１８】
2008191603.tif 000020
【図１９】
2008191603.tif 000021
【図２０】
2008191603.tif 000022
【図２１】
2008191603.tif 000023
【図２２】
2008191603.tif 000024
【図２３】
2008191603.tif 000025
【図２４】
2008191603.tif 000026
【図２５】
2008191603.tif 000027
【図２６】
2008191603.tif 000028
【図２７】
2008191603.tif 000029
【図２８】
2008191603.tif 000030